(57)【要約】      （修正有）【課題】複数の診療科や病棟等におけるフレキシブルな業務連携を支援することが可能なナースコールシステムを提供すること。【解決手段】ナースコールシステム１は、第一ナースコール子機２Ａと、第一ナースコール子機２Ａから呼び出すことが可能な第一ナースコール親機３Ａと、第二ナースコール子機２Ｂと、第二ナースコール子機２Ｂから呼び出すことが可能な第二ナースコール親機３Ｂと、第一ナースコール親機３Ａ又は第二ナースコール親機３Ｂを呼び出すことが可能な第三ナースコール子機２Ｃと、第三ナースコール子機２Ｃが第一ナースコール親機３Ａを呼出可能な第一設定と、第三ナースコール子機２Ｃが第二ナースコール親機３Ｂを呼出可能な第二設定と、を切り替えることが可能な切替部を有する制御機５と、を備える。【選択図】図１
2020182010.tif 000002
【特許請求の範囲】
【請求項１】
第一ナースコール子機と、
前記第一ナースコール子機から呼び出すことが可能な第一ナースコール親機と、
第二ナースコール子機と、
前記第二ナースコール子機から呼び出すことが可能な第二ナースコール親機と、
前記第一ナースコール親機又は前記第二ナースコール親機を呼び出すことが可能な第三ナースコール子機と、
前記第三ナースコール子機が前記第一ナースコール親機を呼出可能な第一設定と、前記第三ナースコール子機が前記第二ナースコール親機を呼出可能な第二設定と、を切り替えることが可能な切替部と、
を備える、
ナースコールシステム。
【請求項２】
複数の前記第三ナースコール子機と、
複数の前記第三ナースコール子機と前記切替部との間に設けられる廊下灯と、
を備え、
前記切替部は、前記廊下灯の接続先を前記第一ナースコール親機又は前記第二ナースコール親機に切り替えることにより、前記廊下灯と接続する複数の前記第三ナースコール子機の呼出先を前記第一ナースコール親機又は前記第二ナースコール親機に切り替える、
請求項１に記載のナースコールシステム。
【請求項３】
前記第一ナースコール親機と前記第二ナースコール親機の両方において、前記第三ナースコール子機と関連付けられたベッドの所属先を表示可能であり、
前記第三ナースコール子機の呼出先に応じて、前記第一ナースコール親機と前記第二ナースコール親機とにおいて互いに異なる表示態様で前記ベッドの所属先が表示される、
請求項１または請求項２に記載のナースコールシステム。
【請求項４】
前記切替部は、前記第一ナースコール親機と前記第二ナースコール親機の一方から発信された切替要求信号に対して前記第一ナースコール親機と前記第二ナースコール親機の他方から承認信号が発信されたことを確認した後に、前記第一設定と前記第二設定とを切り替えることが可能となる、
請求項１から請求項３のいずれか一項に記載のナースコールシステム。
【請求項５】
前記第一ナースコール子機から呼び出すことが可能な第一携帯端末と、
前記第二ナースコール子機から呼び出すことが可能な第二携帯端末と、
を備え、
前記切替部が、前記第一設定と前記第二設定とを切り替えることにより、
前記第一設定では、前記第三ナースコール子機が前記第一ナースコール親機及び前記第一携帯端末を呼出可能な状態となり、
前記第二設定では、前記第三ナースコール子機が前記第二ナースコール親機及び前記第二携帯端末を呼出可能な状態となる、
請求項１から請求項４のいずれか一項に記載のナースコールシステム。
【発明の詳細な説明】
【技術分野】
【０００１】
本発明は、ナースコールシステムに関する。
【背景技術】
【０００２】
近年、社会の高齢化が進むにつれて、病院では患者数が増加する一方であり、ベッド不足や看護師の人数不足の問題は深刻である。そこで、医療サービスの品質維持や業務負担の分散の観点から、病院内の各部門間（医療科間）におけるスムーズな業務連携を支援することが可能なシステムに対するニーズが高まっている。例えば、下記特許文献１〜２には、診療科ごとの患者の一時的な増減に対応が可能なナースコールシステムが開示されている。
【先行技術文献】
【特許文献】
【０００３】
【特許文献１】特開２０１３−２０７６４４号公報
【特許文献２】特開２００６−３４７１１号公報
【発明の概要】
【発明が解決しようとする課題】
【０００４】
しかしながら、従来のナースコールシステムでは、ベッド不足により、例えば隣の診療科のベッドを一時的に借りて患者を入院させた場合、その患者は、そのベッドに設置されたナースコール子機からでは、その患者の本来の診療科のナースコール親機や担当看護師の携帯端末を直接的に呼び出すことができない場合があった。
このように、従来のナースコールシステムでは、病院内の各部門間（診療科間）におけるフレキシブルな業務連携を支援するために、改善の余地があった。
【０００５】
本発明は、複数の診療科や病棟等におけるフレキシブルな業務連携を支援することが可能なナースコールシステムを提供することを目的とする。
【課題を解決するための手段】
【０００６】
本発明にかかるナースコールシステムは、
第一ナースコール子機と、
前記第一ナースコール子機から呼び出すことが可能な第一ナースコール親機と、
第二ナースコール子機と、
前記第二ナースコール子機から呼び出すことが可能な第二ナースコール親機と、
前記第一ナースコール親機又は前記第二ナースコール親機を呼び出すことが可能な第三ナースコール子機と、
前記第三ナースコール子機が前記第一ナースコール親機を呼出可能な第一設定と、前記第三ナースコール子機が前記第二ナースコール親機を呼出可能な第二設定と、を切り替えることが可能な切替部と、
を備える。
【０００７】
この構成によれば、切替部により、第三ナースコール子機の呼出先を第一ナースコール親機又は第二ナースコール親機に切り替えることができる。このため、例えば、Ａ診療科とＢ診療科とで共有で使用する病室内のベッドに対して第三ナースコール子機を設置した場合、そのベッドに入院した患者を担当する診療科が何処であるかに応じて、第三ナースコール子機の呼出先を切り替えることができ、病院内の各部門間（診療科間）におけるフレキシブルな業務連携を支援することができる。
【０００８】
また、本発明のナースコールシステムは、
複数の前記第三ナースコール子機と、
複数の前記第三ナースコール子機と前記切替部との間に設けられる廊下灯と、
を備え、
前記切替部は、前記廊下灯の接続先を前記第一ナースコール親機又は前記第二ナースコール親機に切り替えることにより、前記廊下灯と接続する複数の前記第三ナースコール子機の呼出先を前記第一ナースコール親機又は前記第二ナースコール親機に切り替えてもよい。
【０００９】
この構成によれば、廊下灯の接続先を切り替えることにより、複数の第三ナースコール子機の接続先を一括して効率的に切り替えることができる。
【００１０】
また、本発明のナースコールシステムは、
前記第一ナースコール親機と前記第二ナースコール親機の両方において、前記第三ナースコール子機と関連付けられたベッドの所属先を表示可能であり、
前記第三ナースコール子機の呼出先に応じて、前記第一ナースコール親機と前記第二ナースコール親機とにおいて互いに異なる表示態様で前記ベッドの所属先が表示されてもよい。
【００１１】
この構成によれば、医療従事者は、各ナースコール親機で表示されるベッドの所属先を示す表示を確認することにより、第三ナースコール子機が現在どちらの管理下にあるか容易に判別することができる。
【００１２】
また、本発明のナースコールシステムにおいて、
前記切替部は、前記第一ナースコール親機と前記第二ナースコール親機の一方から発信された切替要求信号に対して前記第一ナースコール親機と前記第二ナースコール親機の他方から承認信号が発信されたことを確認した後に、前記第一設定と前記第二設定とを切り替えることが可能となるものでもよい。
【００１３】
この構成によれば、第三ナースコール子機の呼出先を切り替える際、第三ナースコール子機の呼出先として切り換えられる側のナースコール親機の承認が必要となる。このため、例えば複数の診療科間で安全に第三ナースコール子機の呼出先を切り替えることができる。
【００１４】
また、本発明のナースコールシステムは、
前記第一ナースコール子機から呼び出すことが可能な第一携帯端末と、
前記第二ナースコール子機から呼び出すことが可能な第二携帯端末と、
を備え、
前記切替部が、前記第一設定と前記第二設定とを切り替えることにより、
前記第一設定では、前記第三ナースコール子機が前記第一ナースコール親機及び前記第一携帯端末を呼出可能な状態となり、
前記第二設定では、前記第三ナースコール子機が前記第二ナースコール親機及び前記第二携帯端末を呼出可能な状態となってもよい。
【００１５】
この構成によれば、例えば各診療科の看護師長が携帯する各携帯端末について、第三ナースコール子機の呼出先の切り替えに応じて同時に設定を切り替えることができる。
【発明の効果】
【００１６】
本発明によれば、複数の診療科や病棟等におけるフレキシブルな業務連携を支援することが可能なナースコールシステムを提供することができる。
【図面の簡単な説明】
【００１７】
【図１】第１実施形態に係るナースコールシステムの構成図である。
【図２】図１に示すナースコールシステムにおける制御機の機能ブロック図である。
【図３】図１に示すナースコールシステムにおけるナースコール親機の機能ブロック図である。
【図４】（ａ）は第一ナースコール親機の大型モニタの画面例を示しており、（ｂ）は第二ナースコール親機の大型モニタの画面例を示している。
【図５】（ａ）は第一ナースコール親機の大型モニタの画面例を示しており、（ｂ）は第二ナースコール親機の大型モニタの画面例を示している。
【発明を実施するための形態】
【００１８】
以下、本発明に係るナースコールシステムの実施形態の一例について、図面を参照して詳細に説明する。
図１は、本実施形態に係るナースコールシステム１の構成図である。
図１に示すように、ナースコールシステム１は、複数の（本例では２つの）部門である診療科１００Ａ，１００Ｂに設置されている。ナースコールシステム１は、例えば患者を収容する病院等の医療・介護施設内に設置されている。例えば、診療科１００Ａは、第一外科であり、病室Ａ１０１〜Ａ１０３を有している。また、診療科１００Ｂは、第二外科であり、病室Ｂ１０１〜Ｂ１０３を有している。例えば、診療科１００Ａの病室Ａ１０３と診療科１００Ｂの病室Ｂ１０１は、隣接しており、ベッドの混み具合等の事情で互いに利用可能なフレキシブルルームとして利用される。
【００１９】
病室Ａ１０１〜Ａ１０２には、それぞれ、複数の（本例では２つの）第一ナースコール子機２Ａと、第一廊下灯４Ａとが設置されている。各第一ナースコール子機２Ａは、第一廊下灯４Ａを介して、ハブ１５Ａに接続されている。
【００２０】
病室Ｂ１０２〜Ｂ１０３には、それぞれ、複数の（本例では２つの）第二ナースコール子機２Ｂと、第二廊下灯４Ｂとが設置されている。各第二ナースコール子機２Ｂは、第二廊下灯４Ｂを介して、ハブ１５Ａに接続されている。
【００２１】
病室Ａ１０３と病室Ｂ１０１には、それぞれ、複数の（本例では２つの）第三ナースコール子機２Ｃと、第三廊下灯４Ｃ（廊下灯の一例）とが設置されている。各第三ナースコール子機２Ｃは、第三廊下灯４Ｃを介して、ハブ１５Ａに接続されている。
【００２２】
診療科１００Ａのスタッフステーション等の施設内共用部には、第一ナースコール親機３Ａが設置されている。診療科１００Ｂのスタッフステーション等の施設内共用部には、第二ナースコール親機３Ｂが設置されている。第一ナースコール親機３Ａと第二ナースコール親機３Ｂは、ハブ１５Ａに接続されている。
【００２３】
ナースコールシステム１は、制御機５を備えている。制御機５は、ハブ１５Ａを介して、各ナースコール子機や、各ナースコール親機等の機器と接続されている。
【００２４】
ナースコールシステム１は、基地局６１と、交換機６２（例えばＩＰ  ＰＢＸ）と、を備えている。ナースコールシステム１にはハブ１５Ｂを介してオーダリングシステム７が接続されている。ナースコールシステム１は、複数の（本例では４つの）第一携帯端末６Ａと、複数の（本例では４つの）第二携帯端末６Ｂと、を備えている。
【００２５】
以下、ナースコールシステム１の各構成について説明する。
なお、第一ナースコール子機２Ａ、第二ナースコール子機２Ｂ、第三ナースコール子機２Ｃについては、基本的な構成が同一であるので、第一ナースコール子機２Ａについて説明し、各機器で異なる構成以外の説明を省略する。各廊下灯４Ａ，４Ｂ，４Ｃや、各ナースコール親機３Ａ，３Ｂ等についても同様であり、各機器で異なる構成以外の説明を省略する。
【００２６】
第一ナースコール子機２Ａは、患者が看護師を呼び出して通話を行うためのものであり、病室内の病床（ベッド）毎に設置されている。第一ナースコール子機２Ａは、プレート子機２１と、握り子機２２と、を有している。プレート子機２１は、マイクとスピーカを備え、各患者のベッドの上方の壁面に設置されている。マイク及びスピーカは患者が看護師との間で相互に通話を行うためのものである。握り子機２２は、呼出ボタンを備え、プレート子機２１にケーブルで接続されている。呼出ボタンは病室内の患者が看護師を呼び出すためのボタンである。第一ナースコール子機２Ａは、通信ケーブルを通じて第一廊下灯４Ａに接続されている。
【００２７】
第一廊下灯４Ａは、各患者からの呼出を検出してその呼出を病室外へ報知するものであり、病室の入口付近に設置されている。本例の第一廊下灯４Ａは、ハブ１５Ａを経由して制御機５と接続されている。本例の第一廊下灯４Ａには、液晶表示部４１が設けられていて、第一ナースコール子機２Ａから呼び出しがあると、呼び出しをした患者の名前等の患者情報が液晶表示部４１に表示されるように構成されている。さらに、第一ナースコール子機２Ａから呼び出しがあると、第一廊下灯４Ａに設けられた表示ランプ４２が例えば点滅するように構成されている。
【００２８】
第一ナースコール親機３Ａは、患者からの呼び出しに看護師が応答して通話を行ったり、患者や看護師等の情報を表示する機能を有するものである。第一ナースコール親機３Ａは、大型モニタ３１と、小型モニタ３２と、通話部３３と、を有している。
【００２９】
大型モニタ３１は、例えば２４型の縦長のタッチパネル画面で構成されており、ナースコール親機３Ａの操作部としても機能することが可能である。小型モニタ３２は、例えば７型の横長のタッチパネル画面で構成されている。小型モニタ３２は、例えば、ナースコール子機２によって患者から呼び出しが有った場合、その呼び出しをした患者のベッド番号や名前等を含む患者情報を表示する。通話部３３は、患者からの呼出音および患者の音声を出力するスピーカと、患者の呼び出しに看護師が応答して通話を行うための送受話機と、を有している。
【００３０】
制御機５は、中継器として設置されており、接続されている各機器の呼出制御あるいは通話制御等を行なうものである。制御機５は、ハブ１５Ａ及び通信ケーブルを介して、各ナースコール子機２Ａ，２Ｂ，２Ｃ、各廊下灯４Ａ，４Ｂ，４Ｃ、各ナースコール親機３Ａ，３Ｂ、交換機６２と接続されている。また、制御機５は、ハブ１５Ａ、ハブ１５Ｂ及び通信ケーブルを介して、オーダリングシステム７と接続されている。
【００３１】
第一携帯端末６Ａは、第一ナースコール子機２Ａからの呼び出しを通知するとともに呼び出しに応答して患者と通話するためのものであり、各看護師によって携帯されている。第一携帯端末６Ａには表示画面が設けられており、第一ナースコール子機２Ａからの呼び出しが有ると、呼出元である患者の病室番号、ベッド番号、名前等が表示される。第一携帯端末６Ａとしては、例えばＰＨＳやスマート端末等が用いられ、各第一携帯端末６Ａは個別の携帯端末ＩＤを有している。
【００３２】
基地局６１は、ナースステーションの近辺、および施設内でナーステーションから離れた場所に所定の間隔で設置されている。交換機６２は、第一携帯端末６Ａと第一ナースコール子機２Ａとの接続及び第二携帯端末６Ｂと第二ナースコール子機２Ｂとの接続を行うためのものであり、ナースステーション内または施設内の共用部に設置されている。交換機６２は、ハブ１５Ａを経由して制御機５に接続されている。また、交換機６２は、ハブ１５Ａを経由して第一ナースコール子機２Ａ、第二ナースコール子機２Ｂ及び第三ナースコール子機２Ｃにも接続されている。
【００３３】
オーダリングシステム７は、各患者の患者情報を含む病院に関する情報を一括して管理するものであり、例えば施設の管理室等の所定の場所に設置されている。
【００３４】
図２は、制御機５の機能ブロック図である。
図２に示すように、制御機５は、ＣＰＵ等で構成される制御部５１と、制御部５１に接続された記憶部５２、廊下灯インターフェース回路（以下、インターフェース回路を「Ｉ／Ｆ」と称す）５３、親機Ｉ／Ｆ５４、交換機Ｉ／Ｆ５５、オーダリングＩ／Ｆ５６、受信部５８及び送信部５９と、を備えている。
【００３５】
廊下灯Ｉ／Ｆ５３は、図１にある各廊下灯４Ａ，４Ｂ，４Ｃと信号伝送路を形成するための通信部を構成している。親機Ｉ／Ｆ５４は、図１にある各ナースコール親機３Ａ，３Ｂと信号伝送路を形成するための通信部を構成している。交換機Ｉ／Ｆ５５は、交換機６２と信号伝送路を形成するための通信部を構成している。オーダリングＩ／Ｆ５６は、オーダリングシステム７と信号伝送路を形成するための通信部を構成するとともに、オーダリングシステム７で管理されている情報を受信するための回路である。
【００３６】
記憶部５２には、患者情報記憶部５２ａと、勤務情報記憶部５２ｂと、レイアウト情報記憶部５２ｃと、呼出テーブル記憶部５２ｄと、が設けられている。
【００３７】
患者情報記憶部５２ａには、図１にある各診療科１００Ａ，１００Ｂに現在入院している患者の入院日、退院予定日、氏名、性別、年齢、主担当看護師と副担当看護師を含む担当情報、担当医師、病室番号、ベッド番号、感染症情報、救護区分、食事制限の有無、看護必要度、投薬情報などを含んで構成される患者情報が記憶されている。また、患者情報記憶部５２ａには、現在入院している患者だけでなく入院予定の患者の患者情報も含まれる。本例では、患者情報は、オーダリングシステム７から例えば定期的に送信されてきて患者情報記憶部５２ａに記憶されている。
【００３８】
勤務情報記憶部５２ｂには、各看護師の勤務情報が記憶されている。勤務情報は、例えば一か月単位で、各看護師の勤務日（勤務予定日を含む）、勤務帯（例えば３勤制であれば、日勤、夜勤、準夜勤のいずれか）、休暇日（休暇予定日を含む）等の勤怠に関する情報で構成されている。本例では、勤務情報は、オーダリングシステム７から例えば定期的に送信されてきて勤務情報記憶部５２ｂに記憶されている。
【００３９】
レイアウト情報記憶部５２ｃには、図１にある各診療科１００Ａ，１００Ｂにおける各病室の配置関係を示すレイアウト情報が記憶されている。レイアウト情報には、各病室の病室番号や各患者のベッド番号を特定するための情報も含まれており、患者情報に含まれる各患者の病室情報やベッド番号と対応づけることで、所定のエリアでどの位置にあるどの病室にどの患者が入院しているかを対応づけることができるものである。
【００４０】
呼出テーブル記憶部５２ｄには、呼出テーブルが格納されている。呼出テーブルは、図１にある各ナースコール子機２Ａ，２Ｂ，２Ｃからの呼出信号に含まれた子機特定情報（子機ＩＤ）と、呼出信号の転送先の親機情報とが関連づけられたテーブルである。
呼出テーブルについては、追って例をあげて説明する。
【００４１】
制御部５１は、例えば、記憶部５２に記憶される情報の送受信等の管理や書き換え等の処理を実行する。制御部５１は、呼出テーブル上の設定内容を切り替える切替部６０としても機能する。制御部５１は、図１にある各ナースコール親機３Ａ，３Ｂからの切替要求信号や承認信号を確認できたとき、呼出テーブル内の呼出先親機の設定を切り替えることができる。
【００４２】
受信部５８は、呼出信号等を受信し、送信部５９は、呼出信号等を送信する。
【００４３】
図３は、第一ナースコール親機３Ａの機能ブロック図である。
図３に示すように、第一ナースコール親機３Ａは、ＣＰＵ等で構成される制御部３６と、制御機Ｉ／Ｆ３７と、記憶部３８と、を備えている。制御部３６は、大型モニタ３１と、小型モニタ３２と、通話部３３と接続され、これらの動作を制御する。
【００４４】
制御機Ｉ／Ｆ３７は、制御機５と信号伝送路を形成するための通信部を構成している。
記憶部３８には、制御機の記憶部５２に記憶された患者情報、勤務情報、レイアウト情報が記憶されている。本例では、これらの情報は、制御機５から例えば定期的に送信されてきて記憶部３８に記憶される。記憶部３８は、表示テーブル記憶部３８Ａを有している。
【００４５】
表示テーブル記憶部３８Ａには、表示テーブルが格納されている。表示テーブルは、図１にある各ナースコール子機２Ａ，２Ｂ，２Ｃからの呼出信号に含まれた子機特定情報（子機ＩＤ）と、子機が設置されたベッドのベッドボタン表示の表示態様とが関連づけられたテーブルである。ベッドボタン表示とは、例えば矩形状の表示枠と、その表示枠内に表示されるベッド番号、患者氏名、看護種別等のベッド番号等の情報とで構成される画面表示である。表示テーブルについては、例をあげて説明する。
【００４６】
制御部３６は、ＣＰＵ等で構成されており、例えば、記憶部３８に記憶された患者情報と勤務情報とレイアウト情報とに基づいて、大型モニタ３１に表示させる画面を形成する処理を行う。また、制御部３６は、例えば、第一ナースコール子機２Ａによって患者から呼び出しが有った場合、呼出元の患者の患者情報を小型モニタ３２に表示する制御を行なっている。
【００４７】
制御部３６は、表示テーブル記憶部３８Ａに記憶された表示テーブルに基づいて、各ベッドのベッドボタン表示を大型モニタ３１や小型モニタ３２に表示させる。制御部３６は、大型モニタ３１や小型モニタ３２に対して行われた操作に基づいて、表示テーブルの内容を更新する。
【００４８】
また、第二ナースコール親機３Ｂも、制御部３６と、制御機Ｉ／Ｆ３７と、記憶部３８と、を備えており、制御部３６は、大型モニタ３１と、小型モニタ３２と、通話部３３と接続され、これらの動作を制御する。
【００４９】
制御機Ｉ／Ｆ３７は、制御機と信号伝送路を形成するための通信部を構成している。記憶部３８には、制御機の記憶部５２に記憶された患者情報、勤務情報、レイアウト情報が記憶されており、これらの情報は、制御機５から例えば定期的に送信されてきて記憶部３８に記憶される。
【００５０】
次に、ナースコールシステム１における呼出先切替の具体例について説明する。
まず、初期設定（第一設定の一例）として、診療科１００Ａと診療科１００Ｂとで共有で使用されるフレキシブルルームのうち、病室Ａ１０３内に設置された第三ナースコール子機２Ｃが診療科１００Ａの第一ナースコール親機３Ａを呼び出すように設定され、病室Ｂ１０１内に設置された第三ナースコール子機２Ｃが診療科１００Ｂの第二ナースコール親機３Ｂを呼び出すように設定されている例を説明する。
【００５１】
この初期設定の状態において、制御機５の呼出テーブル（表１）、第一ナースコール親機３Ａの表示テーブル（表２）、第二ナースコール親機３Ｂの表示テーブル（表３）は、下記に示される内容となる。
【００５２】
（表１）呼出テーブル
2020182010.tif 000003
（表２）第一ナースコール親機３Ａの表示テーブル
2020182010.tif 000004
（表３）第二ナースコール親機３Ｂの表示テーブル
2020182010.tif 000005
【００５３】
図４（ａ）に示されるように、第一ナースコール親機３Ａは、表示テーブル（表２）に基づいて、大型モニタ３１に、各ナースコール子機が設置された各ベッドのベッドボタン表示を表示する。
【００５４】
例えば、図１にある診療科１００Ａの病室Ａ１０１〜Ａ１０２内の各第一ナースコール子機２Ａが設置されたベッドのベッドボタン表示Ｄ１，Ｄ２と、病室Ａ１０３内の第三ナースコール子機２Ｃが設置されたベッドのベッドボタン表示Ｄ３とが、第一ナースコール親機３Ａから呼出可能な状態であることを示すアクティブな表示態様（グレーアウトされていない表示態様）で、表示される。
また、診療科１００Ｂの病室Ｂ１０１内の第三ナースコール子機２Ｃが設置されたベッドのベッドボタン表示Ｄ４が、第一ナースコール親機３Ａから呼出不可能な状態であることを示すグレーアウトな表示態様（図中は斜線）で、表示される。このグレーアウトな表示態様は、アクティブな表示態様とは異なるため、視覚的に区別がしやすい。
【００５５】
また、図４（ｂ）に示されるように、第二ナースコール親機３Ｂは、表示テーブル（表３）に基づいて、大型モニタ３１に、各ナースコール子機が設置された各ベッドのベッドボタン表示を表示する。
【００５６】
例えば、病室Ａ１０３内の第三ナースコール子機２Ｃが設置されたベッドのベッドボタン表示Ｄ５が、第二ナースコール親機３Ｂから呼出不可能な状態であることを示すグレーアウトな表示態様（図中は斜線）で、表示される。
また、病室Ｂ１０１内の第三ナースコール子機２Ｃが設置されたベッドのベッドボタン表示Ｄ６と、病室Ｂ１０２〜Ｂ１０３内の各第二ナースコール子機２Ｂが設置されたベッドのベッドボタン表示Ｄ７，Ｄ８とが、第二ナースコール親機３Ｂから呼出可能な状態であることを示すアクティブな表示態様（グレーアウトされていない表示態様）で、表示される。
【００５７】
ここで、例えば、診療科１００Ａのベッド数が足りず、診療科１００Ａに属する医療従事者が、診療科１００Ｂのフレキシブルルームである病室Ｂ１０１のベッドを利用したい場合に、病室Ｂ１０１の第三ナースコール子機２Ｃの呼出先を切り替える具体例について説明する。
この場合、医療従事者は、第一ナースコール親機３Ａの大型モニタ３１に表示されるベッドボタン表示Ｄ４をタッチする等の切替要求のための操作を行う。この操作にともなって、第一ナースコール親機３Ａから第二ナースコール親機３Ｂに向けて、フレキシブルルームである病室Ｂ１０１の各ベッドの利用権限を診療科１００Ｂから診療科１００Ａに切り替える旨を要求するための切替要求信号が発信される。
【００５８】
切替要求信号を受信した第二ナースコール親機３Ｂは、例えば、大型モニタ３１に、病室Ｂ１０１の各ベッドの利用権限を診療科１００Ｂから診療科１００Ａに切り替えることについて、承認可能か否かを確認するメッセージを表示する。
診療科１００Ｂに属する医療従事者は、ベッドの混み具合等を考慮して承認可能と判断した場合、大型モニタ３１に表示されたメッセージにタッチする等の操作を行い、切替要求を承認する。
このとき、第二ナースコール親機３Ｂの表示テーブル記憶部３８Ｂに記憶されている表示テーブルが表４のように更新される。
（表４）
2020182010.tif 000006
【００５９】
また、第二ナースコール親機３Ｂから、第一ナースコール親機３Ａ及び制御機５に向けて、承認信号が発信される。
【００６０】
承認信号を受信した制御機５の切替部６０は、呼出テーブル記憶部５２ｄに記憶される呼出テーブルを表５のように更新して、初期設定を、病室Ｂ１０１内の第三ナースコール子機２Ｃから第一ナースコール親機３Ａを呼び出すことが可能な設定（第二設定の一例）に切り替える。
（表５）
2020182010.tif 000007
【００６１】
なお、上述の設定切替のとき、病室Ｂ１０１内の第三ナースコール子機２Ｃから呼び出すことが可能な携帯端末を、第二ナースコール親機３Ｂの支配下の第二携帯端末６Ｂから第一ナースコール親機３Ａの支配下の第一携帯端末６Ａに切り替えても良い。
【００６２】
また、上述の設定切替のとき、切替部６０は、病室Ｂ１０１の第三廊下灯４Ｃの接続先を第二ナースコール親機３Ｂから第一ナースコール親機３Ａに切り替えることにより、病室Ｂ１０１の第三廊下灯４Ｃの支配下の第三ナースコール子機２Ｃの呼出先を一括して切り替えても良い。
【００６３】
次に、承認信号を受信した第一ナースコール親機３Ａは、承認された旨を大型モニタ３１に表示するとともに、表示テーブル記憶部３８Ａに記憶されている表示テーブルを表６のように更新する。
（表６）
2020182010.tif 000008
【００６４】
このような切替動作の結果、病室Ｂ１０１の第三ナースコール子機２Ｃから呼出信号が発信されると、制御機５を介して、その呼出信号が第一ナースコール親機３Ａに届き、第一ナースコール親機３Ａが呼び出し状態となる。
【００６５】
ところで、近年、医療の専門化が進み、看護師の果たす役割も幅広い専門性が求められており、１つの診療科に属する医療従事者の人数も多くなっている。このため、例えば大学病院等の総合病院では、複数の制御機で構成されたナースコールシステムが導入されている。一方で、社会の高齢化が進むにつれて、病院では患者数が増加する一方であり、ベッド不足や看護師の人数不足の問題は深刻である。
【００６６】
しかしながら、従来のナースコールシステムでは、ベッド不足により、例えば隣の診療科のベッドを一時的に借りて患者を入院させた場合、その患者は、そのベッドに設置されたナースコール子機からでは、その患者の本来の診療科のナースコール親機や担当看護師の携帯端末を直接的に呼び出すことができない場合があった。
【００６７】
そこで、本実施形態に係るナースコールシステム１では、上述のように、診療科１００Ａと診療科１００Ｂとで共有で使用するフレキシブルルーム（病室Ａ１０３、病室Ｂ１０１）内のベッドに対して第三ナースコール子機２Ｃを設置し、そのベッドに入院した患者を担当する診療科が何処であるかに応じて、第三ナースコール子機２Ｃの呼出先を切り替えることができるようにしている。このため、病院内の各部門間（診療科間）におけるフレキシブルな業務連携を支援することができる。
【００６８】
また、第一ナースコール親機３Ａの大型モニタ３１では、上述の設定切替後、図５（ａ）に示されるように、病室Ａ１０１〜Ａ１０２内のベッドボタン表示Ｄ１，Ｄ２と、病室Ａ１０３内のベッドのベッドボタン表示Ｄ３と、病室Ｂ１０１内のベッドのベッドボタン表示Ｄ４とが、第一ナースコール親機３Ａから呼出可能な状態であることを示すアクティブな表示態様で、表示される。
【００６９】
また、第二ナースコール親機３Ｂの大型モニタ３１では、上述の設定切替後、図５（ｂ）に示されるように、病室Ａ１０３内のベッドのベッドボタン表示Ｄ５と、病室Ｂ１０１内のベッドのベッドボタン表示Ｄ６とが、第二ナースコール親機３Ｂから呼出不可能な状態であることを示すグレーアウトな表示態様（図中は斜線）で、表示される。
また、病室Ｂ１０２〜Ｂ１０３内のベッドのベッドボタン表示Ｄ７，Ｄ８とが、第二ナースコール親機３Ｂから呼出可能な状態であることを示すアクティブな表示態様で、表示される。
【００７０】
このため、医療従事者は、第一ナースコール親機３Ａや第二ナースコール親機３Ｂの大型モニタ３１に表示されるベッドボタン表示の表示態様がアクティブかグレーアウトであるかを確認することにより、フレキシブルルームＡ１０３，Ｂ１０１内の第三ナースコール子機２Ｃが現在どちらのナースコール親機の管理下にあるかを容易に判別することができる。
【００７１】
また、本実施形態に係るナースコールシステム１では、フレキシブルルームである病室Ｂ１０１の第三ナースコール子機２Ｃの呼出先を第二ナースコール親機３Ｂから第一ナースコール親機３Ａに切り替える際、切り換えられる側の第二ナースコール親機３Ｂからの承認が必要となる。このため、例えば診療科１００Ａ，１００Ｂ間で安全に第三ナースコール子機２Ｃの呼出先を切り替えることができる。
【００７２】
なお、上記実施形態に係るナースコールシステム１は、二つの診療科１００Ａ，１００Ｂを備えた施設に設けた場合を例示したが、ナースコールシステム１は、二つの診療科１００Ａ，１００Ｂを備えた施設に限らず、三つ以上の診療科を備えた施設にも適用できる。
【符号の説明】
【００７３】
１：ナースコールシステム、２Ａ：第一ナースコール子機、２Ｂ：第二ナースコール子機、２Ｃ：第三ナースコール子機、３Ａ：第一ナースコール親機、３Ｂ：第二ナースコール親機、４Ａ：第一廊下灯、４Ｂ：第二廊下灯、４Ｃ：第三廊下灯（廊下灯の一例）、５：制御機、６Ａ：第一携帯端末、６Ｂ：第二携帯端末、３１：大型モニタ、３２：小型モニタ、６０：切替部
【図１】
2020182010.tif 000009
【図２】
2020182010.tif 000010
【図３】
2020182010.tif 000011
【図４】
2020182010.tif 000012
【図５】
2020182010.tif 000013